(57)【要約】【課題】タッチパネル上の照光キーの位置を表示ディスプレイの表示エリアにできるだけ近付けながら、携帯端末をコンパクトにする。【解決手段】ＬＣＤ５の表示エリア５ａ外で且つタッチパネルの操作可能範囲内に照光キー８を設け、ＬＣＤ５の裏側に配置されたメイン基板上における、正面から見て照光キー８よりも外側にＬＥＤ１０を搭載する。ＬＥＤ１０の正面側に、このＬＥＤ１０からの光を照光キー８へ導く導光体１１を設ける。【選択図】図１
2013239900.tif 000002
【特許請求の範囲】
【請求項１】
タッチパネルと、該タッチパネルの背面側に配置された表示ディスプレイとを有する携帯端末において、
上記表示ディスプレイの表示エリア外で且つ上記タッチパネルの操作可能範囲内に設けられた照光キーと、
上記表示ディスプレイの裏側に配置されたメイン基板上における、正面から見て上記照光キーよりも外側に搭載された発光部と、
上記発光部の正面側に配置され、該発光部からの光を上記照光キーへ導く導光体とを備え、
正面から見たときに少なくとも照光キーの一部が上記表示ディスプレイと重なっている
ことを特徴とする携帯端末。
【請求項２】
請求項１に記載の携帯端末において、
上記表示ディスプレイは、上記タッチパネル背面に貼り付けられ、携帯端末本体に設けたディスプレイ収容凹部に収容され、
上記メイン基板は、上記ディスプレイ収容凹部の背面側に配置され、
上記導光体は、上記ディスプレイ収容凹部を構成する壁部に設けられている
ことを特徴とする携帯端末。
【請求項３】
請求項１又は２に記載の携帯端末において、
上記タッチパネルの背面には、該タッチパネルと上記メイン基板とを接続するタッチパネルフレキシブル基板が設けられ、
上記表示ディスプレイの背面には、該表示ディスプレイと上記メイン基板とを接続するディスプレイフレキシブル基板が設けられ、
上記導光体は、上記ディスプレイフレキシブル基板表面と、上記タッチパネルフレキシブル基板裏面との間の隙間に上記発光部からの光を導くように構成されている
ことを特徴とする携帯端末。
【請求項４】
請求項１乃至３のいずれか１つに記載の携帯端末において、
上記照光キーは、上記表示ディスプレイを駆動するドライバの正面側に配置されている
ことを特徴とする携帯端末。
【発明の詳細な説明】
【技術分野】
【０００１】
本発明は、タッチパネルと、このタッチパネルの背面側に配置された表示ディスプレイとを有する携帯端末に関するものである。
【背景技術】
【０００２】
従来より、携帯端末の代表である携帯電話機のタッチパネルにおいて、液晶ディスプレイの表示領域外に固定された照光キーを照光させることが知られている（例えば、特許文献１及び２参照）。
【０００３】
この種の携帯端末では、照光キーの真下にＬＥＤを搭載したフレキシブル基板を配置し、直接的又は導光シートを用いて間接的に照光させることが行われている。また、図１０及び図１１に示すように、照光キー１０８と、この照光キー１０８の真下のメイン基板１０９上に実装されたＬＥＤ１１０との間に導光体１１１を配置し、真上に照光させることも知られている。
【先行技術文献】
【特許文献】
【０００４】
【特許文献１】特開２００２−２６９０５６号公報
【特許文献２】特開２０００−３１１５１２号公報
【発明の概要】
【発明が解決しようとする課題】
【０００５】
しかしながら、従来の携帯端末では、液晶ディスプレイ１０５のガラス表面と照光キー１０８のあるタッチパネル１０６のガラス裏面との隙間ｓが０．２ｍｍ程度しかないため、この僅かな隙間ｓに導光体１１１を入れることができない。
【０００６】
このため、図１０に示すように、液晶ディスプレイ１０５のフレキシブル基板１１５の接続側に照光キー１０８を配置した場合、照光キー１０８を液晶ディスプレイ１０５の表示エリアから液晶フレキシブル基板１１５に搭載されたドライバチップ１０５ｂ及びフレキシブル基板１１５の接続エリアを隔てた領域Ａに配置する必要がある。このため、液晶ディスプレイ１０５の表示エリアＢと、照光キー１０８の位置とが離れてしまい、視線の移動距離が長くなって操作性に難があるという問題がある。
【０００７】
一方、図１１に示すように、フレキシブル基板１１５の接続側と反対側に照光キー１０８を配置すると、液晶ディスプレイ１０５の表示エリアＢと照光キー１０８との距離を近付けることはできるが、導光体１１１を液晶ディスプレイ１０５と横並びに配置することにより、フレキシブル基板１１５を配置するための領域Ｃが余分に必要となって携帯端末の小型化が困難となるという問題がある。
【０００８】
本発明は、かかる点に鑑みてなされたものであり、その目的とするところは、タッチパネル上の照光キーの位置を表示ディスプレイの表示エリアにできるだけ近付けながら、携帯端末をコンパクトにすることにある。
【課題を解決するための手段】
【０００９】
上記の目的を達成するために、この発明では、タッチパネル上の照光キーへ光を導く導光体の配置に工夫を加えた。
【００１０】
具体的には、第１の発明では、タッチパネルと、該タッチパネルの背面側に配置された表示ディスプレイとを有する携帯端末を前提とする。
【００１１】
そして、上記携帯端末は、
上記表示ディスプレイの表示エリア外で且つ上記タッチパネルの操作可能範囲内に設けられた照光キーと、
上記表示ディスプレイの裏側に配置されたメイン基板上における、正面から見て上記照光キーよりも外側に搭載された発光部と、
上記発光部の正面側に配置され、該発光部からの光を上記照光キーへ導く導光体とを備え、
正面から見たときに少なくとも照光キーの一部が上記表示ディスプレイと重なっている。
【００１２】
上記の構成によると、導光体を設けることによって発光部からの光を真下以外のところから照光キーへ導くことができるので、表示ディスプレイの真上に照光キーを配置することもできる。このため、携帯端末のサイズを大きくすることなく照光キーを光らせて暗いところでもタッチパネルの操作が容易となる。
【００１３】
第２の発明では、第１の発明において、
上記表示ディスプレイは、上記タッチパネル背面に貼り付けられ、携帯端末本体に設けたディスプレイ収容凹部に収容され、
上記メイン基板は、上記ディスプレイ収容凹部の背面側に配置され、
上記導光体は、上記ディスプレイ収容凹部を構成する壁部に設けられている。
【００１４】
上記の構成によると、表示ディスプレイがタッチパネルの背面に貼り付けられているので、表示ディスプレイをディスプレイ収容凹部に固定する必要がなくなり、ディスプレイ収容凹部を構成する壁部に導光体の配置が可能となった。このため、有効に活用されていないスペースを利用することができると共に、携帯端末のサイズを小型化できる。
【００１５】
第３の発明では、第１又は第２の発明において、
上記タッチパネルの背面には、該タッチパネルと上記メイン基板とを接続するタッチパネルフレキシブル基板が設けられ、
上記表示ディスプレイの背面には、該表示ディスプレイと上記メイン基板とを接続するディスプレイフレキシブル基板が設けられ、
上記導光体は、上記ディスプレイフレキシブル基板表面と、上記タッチパネルフレキシブル基板裏面との間の隙間に上記発光部からの光を導くように構成されている。
【００１６】
上記の構成によると、ディスプレイフレキシブル基板表面とタッチパネル裏面との間の僅かな隙間でも、導光体によって発光部からの光を照光キーに導くことができる。
【００１７】
第４の発明では、第１乃至第３のいずれか１つの発明において、
上記照光キーは、上記表示ディスプレイを駆動するドライバの正面側に配置されている。
【００１８】
上記の構成によると、ドライバは、表示ディスプレイの表示エリア外に配置されるので、その真正面に照光キーを設けることで、できるだけ照光キーを表示エリアに近付けることができる。このため、携帯端末のサイズが大きくならず、視線の移動距離も長くならない。
【発明の効果】
【００１９】
以上説明したように、本発明によれば、発光部の正面側に発光部からの光を、表示ディスプレイの表示エリア外で且つタッチパネルの操作可能範囲内に設けた照光キーへ導く導光体を設けたことにより、タッチパネル上の照光キーの位置を表示ディスプレイの表示エリアにできるだけ近付けながら、携帯端末をコンパクトにすることができる。
【図面の簡単な説明】
【００２０】
【図１】導光体が照光キーへ導光する様子の概略を示す斜視図である。
【図２】携帯電話機を示す正面図である。
【図３】リアカバーを外したときの図２のIII−III線断面図である。
【図４】タッチパネルを外したときの携帯電話機を示す正面図である。
【図５】リアカバーのない携帯電話機を正面側から見た分解斜視図である。
【図６】背面側から見た図５相当図である。
【図７】図３のVII部拡大断面図である。
【図８】導光体を背面から見た拡大斜視図である。
【図９】導光体を正面から見た拡大斜視図である。
【図１０】ＬＥＤがディスプレイフレキシブル基板側に配置された従来技術を示す断面図である。
【図１１】ＬＥＤがディスプレイフレキシブル基板と反対側に配置された従来技術を示す断面図である。
【発明を実施するための形態】
【００２１】
以下、本発明の実施形態を図面に基づいて説明する。
【００２２】
図１〜図６は、本発明の実施形態の携帯端末としての携帯電話機１を示し、この携帯電話機１は、矩形板状の携帯端末本体２を有する。この携帯端末本体２は、図５に示すように、ステンレス鋼板等よりなる矩形板状の金属フレーム３を有し、この金属フレーム３は、その周縁を覆う樹脂部分と協働して正面側にディスプレイ収容凹部４を形成している。
【００２３】
ディスプレイ収容凹部４の正面側には、表示ディスプレイとしての矩形状のＬＣＤ（液晶ディスプレイ）５が収容されている。ＬＣＤ５は、携帯端末本体２の正面側を覆うタッチパネル６の背面側に貼り付けられている。なお、表示ディスプレイは、有機ＥＬディスプレイでもよい。タッチパネル６は、携帯端末本体２の正面側のディスプレイ収容凹部４の周縁に設けられたパネル用凹部７に嵌め込まれ、このパネル用凹部７の周縁と同じ高さの表面を形成している。
【００２４】
そして、ＬＣＤ５の表示エリア５ａ外で且つタッチパネル６の操作可能範囲６ａ内には、例えば３つの照光キー８が設けられている。この照光キー８は、ＬＣＤ５の表示エリア５ａ外にあるので、ＬＣＤ５の図示しないバックライトに照らされることはない。このため、特に暗い場所では、これら照光キー８を照らす手段が必要となる。図７に示すように、照光キー８は、上記ＬＣＤ５を駆動する電子回路を含むドライバ５ｂの正面側に配置されている。ドライバ５ｂは、ＬＣＤ５の表示エリア５ａ外に配置されるので、その真正面に照光キー８を設けることで、できるだけ照光キー８を表示エリア５ａに近付けることができるようになっている。
【００２５】
ＬＣＤ５の裏側、具体的には金属フレーム３の裏側には、携帯電話機１の電子部品が配列されたメイン基板９が設けられている。このメイン基板９の正面側には、正面から見て照光キー８よりも外側（正面から見て下側）に発光部としての３つのＬＥＤ１０が設けられている。
【００２６】
そして、ＬＥＤ１０の正面側には、ＬＥＤ１０からの光を照光キー８へ導く導光体１１が設けられている。具体的には、この導光体１１は、ディスプレイ収容凹部４の上側壁部４ａに凹陥した導光体収容部１２に嵌め込まれている。図５に示すように、導光体収容部１２には、各ＬＥＤ１０に対応させて導光孔１３が３つ開口されている。例えば、導光体１１は、両面テープ１６等により、導光体収容部１２に貼り付けられている。ＬＣＤ５がタッチパネル６の背面に貼り付けられているので、ＬＣＤ５をディスプレイ収容凹部４に固定する必要がなくなり、上側壁部４ａに導光体１１の配置が可能となっている。
【００２７】
図８及び図９に拡大して示すように、例えば導光体１１は、棒状部分の裏面側に間隔をあけて３つの導光部１１ａが突設されている。この導光部１１ａは、導光孔１３に挿入されてＬＥＤ１０からの光を確実にタッチパネル６側に導光する役割を果たしている。そして、ＬＣＤ５と反対側の導光体１１の角部には、面取り１１ｂが形成され、導光部１１ａによって導かれた光が、この面取り１１ｂの裏面（内面）で反射され、ＬＣＤ５側へ導かれるようになっている。
【００２８】
一方、図６に示すように、タッチパネル６の背面には、タッチパネル６とメイン基板９とを電気的に接続するタッチパネルフレキシブル基板１４が設けられている。また、ＬＣＤ５の背面には、ＬＣＤ５とメイン基板９とを電気的に接続するディスプレイフレキシブル基板１５が設けられている。これらタッチパネルフレキシブル基板１４及びディスプレイフレキシブル基板１５は、ＬＣＤ５がタッチパネル６の背面に貼り付けられた状態で重ねられてＬＣＤ５の背面側に折り畳まれてディスプレイ収容凹部４に凹陥したフレキ収容凹部４ｂに収容されるようになっている。
【００２９】
そして、図７に示すように、導光体１１は、その一部がディスプレイフレキシブル基板１５の表面と、タッチパネルフレキシブル基板１４裏面との間の隙間に配置されている。
【００３０】
このように構成したことにより、導光体１１により、ディスプレイフレキシブル基板１５の表面と、タッチパネルフレキシブル基板１４裏面との間の僅かな隙間においてＬＥＤ１０からの光が照光キー８に導かれる。このため、ＬＣＤ５の真上に照光キー８を配置することができ、照光キー８と表示エリア５ａとの間での視線の移動距離も長くならず、携帯電話機１のサイズを大きくすることなく照光キー８を光らせて暗いところでもタッチパネル６の操作が容易となる。
【００３１】
したがって、本実施形態にかかる携帯電話機１によると、ＬＥＤ１０の正面側にＬＥＤ１０からの光を、ＬＣＤ５の表示エリア５ａ外で且つタッチパネル６の操作可能範囲６ａ内に設けた照光キー８へ導く導光体１１を設けたことにより、タッチパネル６上の照光キー８の位置をＬＣＤ５の表示エリア５ａにできるだけ近付けながら、携帯電話機１をコンパクトにすることができる。
【００３２】
（その他の実施形態）
本発明は、上記実施形態について、以下のような構成としてもよい。
【００３３】
すなわち、上記実施形態では、照光キー８の数に合わせてＬＥＤ１０を３つ設けたが、その数は限定されず、１つでも２つでもよいし、４つ以上でもよい。また、ＬＥＤ１０の個数に合わせて導光体１１の形状も変更すればよい。
【００３４】
上記実施形態では、携帯電話機１は、携帯電話機１としたが、ＬＣＤ５及びタッチパネル６を有するものであれば、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３５】
なお、以上の実施形態は、本質的に好ましい例示であって、本発明、その適用物や用途の範囲を制限することを意図するものではない。
【産業上の利用可能性】
【００３６】
以上説明したように、本発明は、タッチパネルと、このタッチパネルの背面側に配置された表示ディスプレイとを有する携帯電話機などの携帯端末について有用である。
【符号の説明】
【００３７】
１      携帯電話機（携帯端末）
２      携帯端末本体
３      金属フレーム
４      ディスプレイ収容凹部
４ａ    上側壁部
４ｂ    フレキ収容凹部
５      ＬＣＤ
５ａ    表示エリア
５ｂ    ドライバ
６      タッチパネル
６ａ    操作可能範囲
７      パネル用凹部
８      照光キー
９      メイン基板
１０      ＬＥＤ
１１      導光体
１１ａ    導光部
１２      導光体収容部
１３      導光孔
１４      タッチパネルフレキシブル基板
１５      ディスプレイフレキシブル基板
１６      両面テープ
【図１】
2013239900.tif 000003
【図２】
2013239900.tif 000004
【図３】
2013239900.tif 000005
【図４】
2013239900.tif 000006
【図５】
2013239900.tif 000007
【図６】
2013239900.tif 000008
【図７】
2013239900.tif 000009
【図８】
2013239900.tif 000010
【図９】
2013239900.tif 000011
【図１０】
2013239900.tif 000012
【図１１】
2013239900.tif 000013